(57)【要約】【課題】ディレクトリ構造を有する記録媒体に対して記録可能なディレクトリが制限されている場合に、記録された最新のコンテンツを一見して理解できるようにコンテンツの属性を示すコンテンツ情報のリストを生成する。【解決手段】記録再生装置（１０）は、コンテンツの属性を示すコンテンツ情報（３４）に基づいてコンテンツ情報リストを作成する。このとき記録再生装置（１０）は、コンテンツ情報を並び替えて、記録可能なディレクトリに格納されたコンテンツのコンテンツ情報を、再生専用のディレクトリに格納された再生専用コンテンツのコンテンツ情報の後に配置する。これにより、録画された最新のコンテンツのコンテンツ情報がコンテンツ情報リストの最後に配置されることになる。コンテンツ情報リストを受け取った制御機器（２０）は、どのコンテンツが最新であるかを容易に把握できる。【選択図】  図１
2004312294.tif 000002
【特許請求の範囲】
【請求項１】
受信したコンテンツを、ディレクトリ構造を有する記録媒体上の記録用ディレクトリに受信コンテンツとして記録し、かつ、前記受信コンテンツおよび前記記録媒体上の再生専用ディレクトリに格納された再生専用コンテンツを再生することが可能な記録再生装置であって、
前記受信コンテンツおよび前記再生専用コンテンツの各々は、各コンテンツの属性を示すコンテンツ情報を含んでおり、
少なくとも１つの制御機器から前記コンテンツ情報の要求を受信する通信部と、
前記要求に応答して、前記ディレクトリ構造に基づいて特定される順序で、前記記録媒体から前記受信コンテンツのコンテンツ情報および前記再生専用コンテンツのコンテンツ情報を読み出して出力し、各コンテンツ情報と前記各コンテンツ情報を格納するディレクトリとを対応付けたテーブルを出力するサブユニット部と、
前記テーブルに基づいて、前記再生専用コンテンツのコンテンツ情報を先に、前記受信したコンテンツのコンテンツ情報を後に並べ替えたコンテンツ情報列を出力する並べ替え部と、
前記コンテンツ情報列に基づいてリストを生成するリスト生成部と
を備え、前記通信部は、前記要求に対する応答として前記リストを前記少なくとも１つの制御機器に送信する、記録再生装置。
【請求項２】
前記再生専用コンテンツのコンテンツ情報は、前記再生専用コンテンツの削除を禁止するロック情報を含む、請求項１に記載の記録再生装置。
【請求項３】
前記通信部は、前記リストを受信した前記少なくとも１つの制御機器から、前記再生専用コンテンツおよび前記受信コンテンツのうちの所定のコンテンツの再生に関する再生要求をさらに受信し、
前記サブユニット部は、前記所定のコンテンツから、前記リストに基づいて前記コンテンツ情報列により特定される前記コンテンツ情報の順序にしたがって、対応する前記コンテンツを再生する、請求項１に記載の記録再生装置。
【請求項４】
受信したコンテンツを、ディレクトリ構造を有する記録媒体上の記録用ディレクトリに受信コンテンツとして記録し、かつ、前記受信コンテンツおよび前記記録媒体上の再生専用ディレクトリに格納された再生専用コンテンツを再生することが可能な記録再生装置であって、
前記受信コンテンツおよび前記再生専用コンテンツの各々は、各コンテンツの作成日時を示すコンテンツ情報を含んでおり、
少なくとも１つの制御機器から前記コンテンツ情報の要求を受信する通信部と、
前記要求に応答して、前記ディレクトリ構造に基づいて特定される順序で、前記記録媒体から前記受信コンテンツのコンテンツ情報および前記再生専用コンテンツのコンテンツ情報を読み出して出力するサブユニット部と、
前記コンテンツ情報に含まれる前記作成日時に基づいて、前記再生専用コンテンツのコンテンツ情報および前記受信したコンテンツのコンテンツ情報を並べ替えたコンテンツ情報列を出力する並べ替え部と、
前記コンテンツ情報列に基づいてリストを生成するリスト生成部と
を備え、前記通信部は、前記要求に対する応答として、前記リストを前記少なくとも１つの制御機器に送信する、記録再生装置。
【請求項５】
前記並べ替え部は、前記作成日時の昇順または降順の一方に基づいて、前記コンテンツ情報列を出力する、請求項４に記載の記録再生装置。
【請求項６】
前記コンテンツは、映像および音声の少なくとも一方である、請求項１〜５のいずれかに記載の記録再生装置。
【請求項７】
前記記録媒体は着脱可能である、請求項１〜６のいずれかに記載の記録再生装置。
【請求項８】
前記記録媒体はディスク状媒体および半導体記録媒体の一方である、請求項１〜７のいずれかに記載の記録再生装置。
【請求項９】
前記少なくとも１つの制御機器とＩＥＥＥ１３９４バス・インターフェース規格の回線を介して接続されている、請求項１〜８のいずれかに記載の被制御機器。
【請求項１０】
受信したコンテンツを、ディレクトリ構造を有する記録媒体上の記録用ディレクトリに受信コンテンツとして記録し、かつ、前記受信コンテンツおよび前記記録媒体上の再生専用ディレクトリに格納された再生専用コンテンツを再生することが可能な記録再生装置において実行されるコンピュータプログラムであって、
前記受信コンテンツおよび前記再生専用コンテンツの各々は、各コンテンツの属性を示すコンテンツ情報を含んでおり、
少なくとも１つの制御機器から前記コンテンツ情報の要求を受信するステップと、
前記要求に応答して、前記ディレクトリ構造に基づいて特定される順序で、前記記録媒体から前記受信コンテンツのコンテンツ情報および前記再生専用コンテンツのコンテンツ情報を読み出して出力するステップと、
各コンテンツ情報と前記各コンテンツ情報を格納するディレクトリとを対応付けたテーブルを出力するステップと、
前記テーブルに基づいて、前記再生専用コンテンツのコンテンツ情報を先に、前記受信したコンテンツのコンテンツ情報を後に並べ替えたコンテンツ情報列を出力するステップと、
前記コンテンツ情報列に基づいてリストを生成するステップと、
前記要求に対する応答として前記リストを前記少なくとも１つの制御機器に送信するステップと
を含む、コンピュータプログラム。
【請求項１１】
受信したコンテンツを、ディレクトリ構造を有する記録媒体上の記録用ディレクトリに受信コンテンツとして記録し、かつ、前記受信コンテンツおよび前記記録媒体上の再生専用ディレクトリに格納された再生専用コンテンツを再生することが可能な記録再生装置において実行されるコンピュータプログラムであって、
前記受信コンテンツおよび前記再生専用コンテンツの各々は、各コンテンツの作成日時を示すコンテンツ情報を含んでおり、
少なくとも１つの制御機器から前記コンテンツ情報の要求を受信するステップと、
前記要求に応答して、前記ディレクトリ構造に基づいて特定される順序で、前記記録媒体から前記受信コンテンツのコンテンツ情報および前記再生専用コンテンツのコンテンツ情報を読み出して出力するステップと、
前記コンテンツ情報に含まれる前記作成日時に基づいて  、前記再生専用コンテンツのコンテンツ情報および前記受信したコンテンツのコンテンツ情報を並べ替えたコンテンツ情報列を出力するステップと、
前記コンテンツ情報列に基づいてリストを生成するステップと、
前記要求に対する応答として、前記リストを前記少なくとも１つの制御機器に送信するステップとを含む、コンピュータプログラム。
【発明の詳細な説明】
【０００１】
【発明の属する技術分野】
本発明は、ＩＥＥＥ１３９４ネットワークにより接続されたデジタルテレビ、ＳＴＢ等のコントローラによって遠隔操作され、音声・映像に関するＡＶコンテンツを記録媒体へ記録し、記録されたＡＶコンテンツを再生する技術に関する。
【０００２】
【従来の技術】
近年、ＩＥＥＥ１３９４バス・インターフェース規格の回線で構成されたネットワーク（以下「ネットワーク」と称する）により相互接続された複数の機器が、音声・映像に関するコンテンツを含むデータ信号やコマンドと呼ばれる制御信号等をやりとりして、コンテンツを記録・再生するシステムが出現している。
【０００３】
以下、図１１を参照しながら、従来のコンテンツ記録再生システムを説明する。図１１は、ディスクレコーダ１１０とデジタルテレビ（ＤＴＶ）２０とをネットワーク１０２により接続したコンテンツ記録再生システム１０１の構成を示す。ディスクレコーダ１１０は、コンテンツをリムーバブルタイプのディスク状記録媒体３に記録し再生する。デジタルテレビ２０は、ディスクレコーダ１１０に対してネットワーク１０２を介して再生を希望するコンテンツを知らせ、ネットワーク１０２を介してそのコンテンツを受け取り、再生する。ＩＥＥＥ１３９４規格に従って構成されたコンテンツ記録再生システム１０１では、デジタルテレビ２０がいわゆるコントローラとして機能し、一方、ディスクレコーダ１１０がいわゆるターゲットとして機能する。なおＩＥＥＥ１３９４に関する技術内容は、非特許文献１〜６を参照されたい。
【０００４】
以下、各機器をより詳しく説明する。ディスクレコーダ１１０は、ディスクレコーダ１１０全体の動作を統括するシステムコントローラ１１１と、ネットワーク１０２を介して、コンテンツを表すＡＶデータ信号を入出力する１３９４インターフェース１１２と、ネットワーク１０２からの録画再生コマンドを受け付け、実際にディスク状記録媒体にＡＶデータ信号を記録し、その記録媒体からＡＶデータ信号を再生するディスクサブユニット部１１３と、挿入されている記録媒体３上のコンテンツに関するコンテンツ情報に基づいてリストを生成するリスト生成部１１５とを有する。「コンテンツ情報」とは、コンテンツの属性を示す情報である。例えば特許文献１には、ディスク状媒体にコンテンツ情報を作成する技術が記述されている。
【０００５】
デジタルテレビ２０は、デジタルテレビ２０全体の動作を統括するシステムコントローラ２１と、ユーザーがデジタルテレビ２０に対する指示を入力する操作部２２と、ディスクレコーダ１１０等の録画再生機器を制御する外部機器制御部２３と、ネットワーク１０２を介して、コンテンツを表すＡＶデータ信号を入出力する１３９４インターフェース２４と、ディスクレコーダ１１０から入力したＡＶデータ信号を表示するモニタサブユニット部２５とを有する。
【０００６】
次に記録媒体３の構成を説明する。記録媒体３には、例えば図２に示すようなディレクトリ構造を有するファイルシステムが構築されている。記録媒体３には、複数ディレクトリにコンテンツを分割して格納できる。図２のコンテンツの領域３３には、メインディレクトリ３１、オプションディレクトリ３２−１，オプションディレクトリ３２−２の各々に、３つずつコンテンツが格納されている様子が模式的に示されている。各コンテンツには、ＡＶデータ自体の他にコンテンツの属性を示すコンテンツ情報３４が付随して記録される。コンテンツ情報３４は、例えばコンテンツのタイトル、録画日時、録画時間である。
【０００７】
以下、デジタルテレビ２０が、ディスクレコーダ１１０に対してコンテンツの再生を要求する処理を説明する。まずデジタルテレビ２０の外部機器制御部２２は、ネットワーク１０２を介して、ディスクレコーダ１に記録媒体３上のコンテンツ情報の取得を希望する取得コマンドを発行する。
【０００８】
ディスクレコーダ１１０は取得コマンドを受けると、ディスクサブユニット部１１３は、現在挿入されている記録媒体３から、図２に示すディレクトリ構造に規定される順序でコンテンツ情報を読み出す。ディスクサブユニット部１１３は、読み出した順序で、コンテンツ情報をリスト生成部１１５に出力する。リスト生成部１１５は、受け取った順序でコンテンツ情報からリストを生成する。リストは、ネットワーク１０２を介したデータの送受信に適合したデータフォーマットで生成される。
【０００９】
図１２は、コンテンツ情報リスト１２０の構成を示す模式図である。本来ならば記録媒体３上のディレクトリの階層構造を保持できれば望ましい。しかし送信プロトコルの構造が複雑になるため、リスト生成部１１５はディレクトリ構造を規定せず、全てのコンテンツのコンテンツ情報をフラットに並べてひとつのリストを形成する。その順序は、図２のディレクトリ構造に従う。すなわちコンテンツ情報リスト１２０は、メインディレクトリ３１のコンテンツｍ１〜ｍ３に関するコンテンツ情報グループ１２１、オプションディレクトリ３２−１のコンテンツｏ１１〜ｏ１３に関するコンテンツ情報グループ１２２、および、オプションディレクトリ３２−２のコンテンツｏ２１〜ｏ２３に関するコンテンツ情報グループ１２３の順で並べられる。リスト生成部１１５は、生成したコンテンツ情報リストを、ネットワーク１０２を介してデジタルテレビ２０に回答する。
【００１０】
コンテンツ情報リストを受け取ったデジタルテレビ２０の外部機器制御部２２は、モニタサブユニット部２１に取得したコンテンツ情報リストを表示する。図６は、デジタルテレビ２０における表示画面の例を示す。コンテンツ情報リストに基づいて、ディスクレコーダ１１０上の記録媒体３のコンテンツの一覧が表示される。一画面に表示しきれない場合は、ページ切り換えもしくはスクロール表示などで表示される。
【００１１】
ユーザーはリモコン等の操作部２２を操作して、一覧の中から再生を希望するコンテンツを選択する。図６では選択されているコンテンツをハッチングにより示す。外部機器制御部２２は、ユーザーの操作を受けて、該当するコンテンツの再生を指示するコマンドを、ネットワーク１０２を介してディスクレコーダ１１０に発行する。コマンドを受けたディスクレコーダ１１０は、システムコントローラ１１１にその指令を伝達し、システムコントローラ１１１は、指示されたコンテンツの再生の開始を、ディスクサブユニット部１１３に指示する。ディスクサブユニット部１１３は指示されたコンテンツを記録媒体３から再生し、ＡＶデータ信号として、ネットワーク１０２を介してデジタルテレビ２０に送信する。デジタルテレビ２０は、受信したＡＶデータ信号をモニタサブユニット部２５において表示する。
【００１２】
以上のように動作するディスクレコーダ１１０の仕様によっては、記録対象となるディレクトリに制限が課せられている場合がある。例えば記録媒体３上の複数ディレクトリのうち、図２のメインディレクトリ３１にのみ録画および編集等の記録動作が可能な場合がある。このときオプションディレクトリ３２−１、３２−２に対しては、ディスクレコーダ１１０は格納されたコンテンツの再生しかできない。
【００１３】
記録対象ディレクトリが制限されたディスクレコーダ１１０が新たなコンテンツを記録すると、図７に示すようにコンテンツｍ４および付随するコンテンツ情報がメインディレクトリ３１の最後に追加される。このようなディレクトリ構造に基づいて、上述のコンテンツ情報リストを生成する場合でも、ディスクレコーダ１１０のディスクサブユニット部１１３は、ディレクトリ構造に規定される順序でコンテンツ情報を読み出し、リスト生成部１１５はその順序に基づいてコンテンツ情報リストを生成する。図１３は、生成されたコンテンツ情報リスト１３０を示す図である。最後に記録されたコンテンツｍ４に関するコンテンツ情報１３５が、メインディレクトリに対応するコンテンツ情報グループ１３１の最後、オプションディレクトリ３２−１に対応するコンテンツ情報グループ１２２の直前に挿入されている。
【００１４】
【特許文献１】
特開２００１−１６７５１５公報
【非特許文献１】
ＩＥＥＥ  Ｓｔｄ  １３９４−１９９５，  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ
【非特許文献２】
ＩＥＣ６１８８３，  Ｃｏｎｓｕｍｅｒ  ａｕｄｉｏ／ｖｉｄｅｏ  ｅｑｕｉｐｍｅｎｔ−Ｄｉｇｉｔａｌ  Ｉｎｔｅｒｆａｃｅ
【非特許文献３】
１３９４  Ｔｒａｄｅ  Ａｓｓｏｃｉａｔｉｏｎ  ｄｏｃｕｍｅｎｔ  ｎｕｍｂｅｒ  １９９８００３，  ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ，  ｖｅｒｓｉｏｎ３．０
【非特許文献４】
１３９４  Ｔｒａｄｅ  Ａｓｓｏｃｉａｔｉｏｎ  ｄｏｃｕｍｅｎｔ  ｎｕｍｂｅｒ  １９９８０１３，  ＡＶ／Ｃ  Ｄｉｓｃ  Ｓｕｂｕｎｉｔ  Ｇｅｎｅｒａｌ  Ｓｐｅｃｉｆｉｃａｔｉｏｎ
【非特許文献５】
１３９４  Ｔｒａｄｅ  Ａｓｓｏｃｉａｔｉｏｎ  ｄｏｃｕｍｅｎｔ  ｎｕｍｂｅｒ  １９９９０２９，  ＡＶ／Ｃ  Ｄｉｓｃ  Ｓｕｂｕｎｉｔ  Ｅｎｈａｎｃｅｍｅｎｔｓ  ｆｏｒ  Ｈａｒｄ  Ｄｉｓｋ  Ｄｒｉｖｅ  Ｓｐｅｃｉｆｉｃａｔｉｏｎ
【非特許文献６】
１３９４  Ｔｒａｄｅ  Ａｓｓｏｃｉａｔｉｏｎ  ｄｏｃｕｍｅｎｔ  ｎｕｍｂｅｒ  １９９９０３０，  ＡＶ／Ｃ  Ｄｉｓｃ  Ｓｕｂｕｎｉｔ−  Ｈａｒｄ  Ｄｉｓｋ  Ｄｒｉｖｅ  Ｄｅｖｉｃｅ  Ｔｙｐｅ  Ｓｐｅｃｉｆｉｃａｔｉｏｎ  １．０
【００１５】
【発明が解決しようとする課題】
図８に示すコンテンツ情報リスト１３０を受け取ったデジタルテレビ２０のユーザーは、最新の録画コンテンツに関するコンテンツ情報１３５がリストの途中に挿入されているため、最新であることが一見して理解できない。
【００１６】
本発明の目的は、ディレクトリ構造を有する記録媒体に対して記録可能なディレクトリが制限されている場合に、記録された最新のコンテンツを一見して理解できるようにコンテンツの属性を示すコンテンツ情報のリストを生成することである。
【００１７】
【課題を解決するための手段】
本発明の記録再生装置は、受信したコンテンツを、ディレクトリ構造を有する記録媒体  上の記録用ディレクトリに受信コンテンツとして記録し、かつ、前記受信コンテンツおよび前記記録媒体上の再生専用ディレクトリに格納された再生専用コンテンツを再生することが可能である。前記受信コンテンツおよび前記再生専用コンテンツの各々は、各コンテンツの属性を示すコンテンツ情報を含む。記録再生装置は、少なくとも１つの制御機器から  前記コンテンツ情報の要求を受信する通信部と、前記要求に応答して、前記ディレクトリ構造に基づいて特定される順序で、前記記録媒体から前記受信コンテンツのコンテンツ情報および前記再生専用コンテンツのコンテンツ情報を読み出して出力し、各コンテンツ情報と前記各コンテンツ情報を格納するディレクトリとを対応付けたテーブル  を出力するサブユニット部と、前記テーブルに基づいて、前記再生専用コンテンツのコンテンツ情報を先に、前記受信したコンテンツのコンテンツ情報を後に並べ替えたコンテンツ情報列を出力する並べ替え部と、前記コンテンツ情報列に基づいてリストを生成するリスト生成部とを備える。前記通信部は、前記要求に対する応答として前記リストを前記少なくとも１つの制御機器に送信する。これにより上記目的が達成される。
【００１８】
前記再生専用コンテンツのコンテンツ情報は、前記再生専用コンテンツの削除を禁止するロック情報を含んでもよい。
【００１９】
前記通信部は、前記リストを受信した前記少なくとも１つの制御機器から、前記再生専用コンテンツおよび前記受信コンテンツのうちの所定のコンテンツの再生に関する再生要求をさらに受信し、前記サブユニット部は、前記所定のコンテンツから、前記リストに基づいて前記コンテンツ情報列により特定される前記コンテンツ情報の順序にしたがって、対応する前記コンテンツを再生してもよい。
【００２０】
本発明の別の記録再生装置は、受信したコンテンツを、ディレクトリ構造を有する記録媒体上の記録用ディレクトリに受信コンテンツとして記録し、かつ、前記受信コンテンツおよび前記記録媒体上の再生専用ディレクトリに格納された再生専用コンテンツを再生することが可能である。前記受信コンテンツおよび前記再生専用コンテンツの各々は、各コンテンツの作成日時を示すコンテンツ情報を含む。記録再生装置は、少なくとも１つの制御機器から前記コンテンツ情報の要求を受信する通信部と、前記要求に応答して、前記ディレクトリ構造に基づいて特定される順序で、前記記録媒体から前記受信コンテンツのコンテンツ情報および前記再生専用コンテンツのコンテンツ情報を読み出して出力するサブユニット部と、前記コンテンツ情報に含まれる前記作成日時に基づいて  、前記再生専用コンテンツのコンテンツ情報および前記受信したコンテンツのコンテンツ情報を並べ替えたコンテンツ情報列を出力する並べ替え部と、前記コンテンツ情報列に基づいてリストを生成するリスト生成部とを備える。前記通信部は、前記要求に対する応答として、前記リストを前記少なくとも１つの制御機器に送信する。これにより上記目的が達成される。
【００２１】
前記並べ替え部は、前記作成日時の昇順または降順の一方に基づいて、前記コンテンツ情報列を出力してもよい。
【００２２】
前記コンテンツは、映像および音声の少なくとも一方であってもよい。
【００２３】
前記記録媒体は着脱可能であってもよい。
【００２４】
前記記録媒体はディスク状媒体および半導体記録媒体の一方であってもよい。
【００２５】
前記少なくとも１つの制御機器とＩＥＥＥ１３９４バス・インターフェース規格の回線を介して接続されていてもよい。
【００２６】
本発明によるコンピュータプログラムは、受信したコンテンツを、ディレクトリ構造を有する記録媒体上の記録用ディレクトリに受信コンテンツとして記録し、かつ、前記受信コンテンツおよび前記記録媒体上の再生専用ディレクトリに格納された再生専用コンテンツを再生することが可能な記録再生装置において実行される。前記受信コンテンツおよび前記再生専用コンテンツの各々は、各コンテンツの属性を示すコンテンツ情報を含む。コンピュータプログラムは、少なくとも１つの制御機器から前記コンテンツ情報の要求を受信するステップと、前記要求に応答して、前記ディレクトリ構造に基づいて特定される順序で、前記記録媒体から前記受信コンテンツのコンテンツ情報および前記再生専用コンテンツのコンテンツ情報を読み出して出力するステップと、各コンテンツ情報と前記各コンテンツ情報を格納するディレクトリとを対応付けたテーブルを出力するステップと、前記テーブルに基づいて、前記再生専用コンテンツのコンテンツ情報を先に、前記受信したコンテンツのコンテンツ情報を後に並べ替えたコンテンツ情報列を出力するステップと、前記コンテンツ情報列に基づいてリストを生成するステップと、前記要求に対する応答として前記リストを前記少なくとも１つの制御機器に送信するステップとを含む。これにより上記目的が達成される。
【００２７】
本発明による別のコンピュータプログラムは、受信したコンテンツを、ディレクトリ構造を有する記録媒体上の記録用ディレクトリに受信コンテンツとして記録し、かつ、前記受信コンテンツおよび前記記録媒体上の再生専用ディレクトリに格納された再生専用コンテンツを再生することが可能な記録再生装置において実行される。前記受信コンテンツおよび前記再生専用コンテンツの各々は、各コンテンツの作成日時を示すコンテンツ情報を含む。コンピュータプログラムは、少なくとも１つの制御機器から前記コンテンツ情報の要求を受信するステップと、前記要求に応答して、前記ディレクトリ構造に基づいて特定される順序で、前記記録媒体から前記受信コンテンツのコンテンツ情報および前記再生専用コンテンツのコンテンツ情報を読み出して出力するステップと、前記コンテンツ情報に含まれる前記作成日時に基づいて  、前記再生専用コンテンツのコンテンツ情報および前記受信したコンテンツのコンテンツ情報を並べ替えたコンテンツ情報列を出力するステップと、前記コンテンツ情報列に基づいてリストを生成するステップと、前記要求に対する応答として、前記リストを前記少なくとも１つの制御機器に送信するステップとを含む。これにより上記目的が達成される。
【００２８】
【発明の実施の形態】
以下、添付の図面を参照しながら、本発明によるディスクレコーダの実施形態を説明する。
【００２９】
図１は、ディスクレコーダ１０とデジタルテレビ（ＤＴＶ）２０とをネットワーク２により接続したコンテンツ記録再生システム１の構成を示す。コンテンツ記録再生システム１では、ディスクレコーダ１０はデジタルテレビ２０からの要求に応じて、記録媒体３に格納されたコンテンツの一覧を含むリストを生成し出力する。リストは、コンテンツの属性を示すコンテンツ情報を、後述の所定の順序で配列したコンテンツ情報列として作成される。デジタルテレビ２０のユーザーが出力されたリストに基づいてコンテンツを選択すると、デジタルテレビ２０には選択されたコンテンツが表示される。本明細書では、「コンテンツ」は、映像および音声の少なくとも一方を含む。また本実施形態では、ネットワーク２は、ＩＥＥＥ１３９４バス・インターフェース規格の回線で構成されている。
【００３０】
ディスクレコーダ１０は、例えば図示しないチューナユニットを介して受信したコンテンツを、リムーバブルタイプのディスク状記録媒体３に記録する。記録媒体３は、例えば光ディスクである。記録媒体３には後述のディレクトリ構造のファイルシステムが構築されており、コンテンツは記録専用のディレクトリに記録される。一方記録媒体３には再生専用のディレクトリが設けられており、再生専用のコンテンツが格納されている。ディスクレコーダ１０は、記録媒体３に記録した受信コンテンツおよび記録媒体上の再生専用ディレクトリに格納された再生専用コンテンツを再生する。記録および再生は、ネットワーク２を介したデジタルテレビ２０からの指示、ユーザーの操作等に基づいて行われる。ディスクレコーダ１０は、ＡＶネットワーク２に対応する録画再生機器であり、いわゆるターゲットとして機能する。
【００３１】
ディスクレコーダ１０は、システムコントローラ１１と、インターフェース１２と、ディスクサブユニット部１３と、コンテンツ情報並べ替え部１４と、リスト生成部１５とを備え、これらは内部バス１６により接続されている。システムコントローラ１１は、ディスクレコーダ１１０全体の動作を統括する。インターフェース１２は、ネットワーク２を介して、コンテンツを表すＡＶデータ信号およびコンテンツ情報リストを入出力する。ディスクサブユニット部１３は、ネットワーク２から録画／再生コマンドを受け付け、実際にディスク状記録媒体３にコンテンツを表すＡＶデータ信号を記録し、記録媒体３からＡＶデータ信号を再生する。コンテンツ情報並べ替え部１４は、所定サイズのバッファメモリを備え、挿入されている記録媒体３のコンテンツ情報を蓄えて所定の順序で並び替え、コンテンツ情報列を生成する。「コンテンツ情報」とは、コンテンツの属性を示す情報である。コンテンツ情報のより具体的な説明は図３を参照しながら後述する。コンテンツ情報もまた、ディスクサブユニット部１３により読み出され出力される。リスト生成部１５は、コンテンツ情報列に基づいてリストを生成する。なおディスクサブユニット部１３には、ＡＶデータ信号を入出力するための出力端子および入力端子（いずれも図示せず）が付随する。
【００３２】
一方デジタルテレビ２０は、ディスクレコーダ１０に対してネットワーク２を介して再生を希望するコンテンツを知らせ、ネットワーク２を介してそのコンテンツを受け取り、再生表示する。デジタルテレビ２０は、ネットワーク２を介して接続されるディスクレコーダ１０のコントローラまたは制御機器として機能する。
【００３３】
デジタルテレビ２０は、システムコントローラ２１と、操作部２２と、外部機器制御部２３と、インターフェース２４と、モニタサブユニット部２５とを備え、これらは内部バス２６により接続されている。システムコントローラ２１は、デジタルテレビ２０の全体の動作を統括する。操作部２２は、ユーザーがデジタルテレビ２０に対する指示を入力するためのボタン等である。操作部２２は、リモートコントローラのボタン等も含む。外部機器制御部２３は、例えばＩＥＥＥ１３９４バス・インターフェース規格においては、例えばＩＥＥＥ１３９４トレードアソシエーションにより定められたＡＶ／Ｃコマンドセット等を用いてディスクレコーダ１０等の録画再生機器を制御する。インターフェース２４は、ネットワーク２を介して、コンテンツを表すＡＶデータ信号およびコンテンツ情報リストを入出力する。モニタサブユニット部２５は、ディスクレコーダ１０から入力されたＡＶデータ信号に基づいてコンテンツまたはコンテンツリストをモニタ等の表示機器に表示する。
【００３４】
このようなコンテンツ記録再生システム１において、デジタルテレビ２０が、記録媒体３のコンテンツ情報を取得し、デジタルテレビ２０で再生したいコンテンツ情報を選択してディスクレコーダ１０に再生させる処理を説明する。
【００３５】
まず図２を参照しながら、記録媒体３のディレクトリ構造を説明する。図２は、記録媒体３に構築された、ディレクトリ構造を有するファイルシステム３０の概念図である。記録媒体３には、複数ディレクトリにコンテンツを分割して格納できる。図２のコンテンツ領域３３に示すように、メインディレクトリ３１にはコンテンツｍ１〜ｍ３、オプションディレクトリ３２−１にはコンテンツｏ１１〜ｏ１３、オプションディレクトリ３２−２にはコンテンツｏ２１〜ｏ２３がそれぞれ格納されている。本実施形態では、ディスクレコーダ１０が記録媒体３にコンテンツを記録する場合には、メインディレクトリ３１に対してのみコンテンツを記録できるとする。換言すれば、ディスクレコーダ１０は、オプションディレクトリ３２−１、３２−２に対してはコンテンツの記録ができない。したがって記録媒体３のオプションディレクトリ３２−１、３２−２に格納されたコンテンツは、予め記録された再生専用のコンテンツとなる。
【００３６】
各コンテンツには、ＡＶデータ自体の他にコンテンツの属性を示すコンテンツ情報３４が付随して記録される。図３は、コンテンツ情報３４に含まれるパラメータの種別を示す図である。コンテンツ情報３４は、例えばコンテンツのタイトル、録画日時、録画時間、ロック情報等を含む。ロック情報とは、ユーザーが誤消去防止などのために、例えば再生専用コンテンツが削除されないようにロックをかけているか否かを示す情報である。ディスクレコーダ１０はロック情報に基づいて、コンテンツの削除が禁止されているか否かを判断できる。
【００３７】
次に図４を参照しながら、ディスクレコーダ１０の動作を説明する。図４は、コンテンツ情報リストを生成する際のディスクレコーダ１０の処理の流れを示すフローチャートである。まずステップＳ４１において、ディスクレコーダ１０のインターフェース１２は、ネットワーク２を介して、デジタルテレビ２０からコンテンツ情報の取得を希望するコンテンツ情報取得コマンドを受信する。コンテンツ情報取得コマンドは、デジタルテレビ２０の外部機器制御部２２により発行される。
【００３８】
次にステップＳ４２において、システムコントローラ１１は、ディスクサブユニット部１３を動作させて、記録媒体３のコンテンツに付随するコンテンツ情報を取得する。コンテンツ情報は、ディスクサブユニット部１３から、ディレクトリ構造に基づいて特定される順序で出力される。この「順序」とは、例えば図２に示すディレクトリ構造の場合には、先頭ディレクトリの先頭のコンテンツに付随するコンテンツ情報からの順序を意味する。具体的には、メインディレクトリ３１のｍ１、ｍ２、ｍ３コンテンツ情報、オプションディレクトリ３１−１のｏ１１、ｏ１２、ｏ１３コンテンツ情報、オプションディレクトリ３１−２のｏ２１、ｏ２２、ｏ２３コンテンツ情報の順序である。
【００３９】
さらにステップＳ４２において、システムコントローラ１１は、ディスクサブユニット部１３から対応テーブルを取得する。対応テーブルは、各コンテンツのコンテンツ情報と、コンテンツ情報が格納されているディレクトリ名とを対応付けており、ディスクサブユニット部１３により記録媒体３のディレクトリ構造に基づいて生成される。表１は、対応テーブルの例を示す。表において、「メイン」とは図２のメインディレクトリ３１を表し、「オプション１」とは図２のオプションディレクトリ３２−１を表し、「オプション２」とは図２のオプションディレクトリ３２−２を表すとする。システムコントローラ１１は、このようにして生成された対応テーブルを取得して、コンテンツ情報並べ替え部１４に送る。
【００４０】
【表１】
2004312294.tif 000003
【００４１】
次にステップＳ４３において、コンテンツ情報並べ替え部１４は、対応テーブルに基づいてコンテンツ情報を並び替える。コンテンツ情報並べ替え部１４は、先頭にオプションディレクトリ３２−１のコンテンツ情報、次にオプションディレクトリ３２−２のコンテンツ情報、最後にメインディレクトリ３１のコンテンツ情報が配置されるように、コンテンツ情報の順序を並び替える。並び替え処理はディレクトリ単位で行われるため、コンテンツ情報とその所属ディレクトリを示した表１の対応テーブルが利用される。並び替えられた後のコンテンツ情報は、以下では「コンテンツ情報列」と称する。コンテンツ情報列は、リスト生成部１５に送信される。
【００４２】
次にステップＳ４４において、並び替えられたコンテンツ情報列に基づいて、リスト生成部１５はリストを生成する。図５は、コンテンツ情報列に基づいて生成されたリスト５０の構成を示す図である。図２および図５から明らかなように、メインディレクトリ３１のコンテンツｍ１〜ｍ３に関するコンテンツ情報グループ５３がリスト５０の最後に配置されている。一方、リスト５０の先頭からは、オプションディレクトリ３２−１のコンテンツｏ１１〜ｏ１３に関するコンテンツ情報グループ５１、および、オプションディレクトリ３２−２のコンテンツｏ２１〜ｏ２３に関するコンテンツ情報グループ５２の順で並べられる。本来ならば記録媒体３上のディレクトリの階層構造を保持できれば望ましい。しかし送信プロトコルの構造が複雑になるため、リスト生成部１５はディレクトリ構造を規定せず、全てのコンテンツのコンテンツ情報をフラットに並べてひとつのリストを形成する。
【００４３】
再び図４のステップＳ４５において、システムコントローラ１１は、生成したリストを、コンテンツ情報リストとしてインターフェース１２からデジタルテレビ２０に送信する。
【００４４】
以上の処理により、ディスクレコーダ１０からデジタルテレビ２０にコンテンツ情報リストが送信される。図１に示すデジタルテレビ２０のインターフェース２４を介して、外部機器制御部２３がそのリストを受け取る。コンテンツ情報リストを受け取った外部機器制御部２２は、モニタサブユニット部２１に取得したコンテンツ情報リストの内容を表示する。図６は、モニタサブユニット部２１における表示例を示す。図６に示すように、記録媒体３に格納されたコンテンツの一覧が表示される。なお、一画面に表示しきれない場合は、ページ切り換えもしくはスクロール表示などで表示される。
【００４５】
ユーザーは、例えばデジタルテレビ２０のリモコン等の操作部２２に設けられたカーソルキーを用いて、コンテンツ情報リストの中から再生を行いたいコンテンツを選択する。図６では選択されているコンテンツをハッチング表示している。このユーザー操作を受けて、デジタルテレビ２０の外部機器制御部２２は、該当コンテンツの再生を指示するコマンドを、ネットワーク２を介してディスクレコーダ１０に発行する。コマンドを受けたディスクレコーダ１０は、システムコントローラ１４にその指令を伝達する。するとシステムコントローラ１４は、指示されたコンテンツの再生の開始をディスクサブユニット部１３に指示する。その結果、ディスクサブユニット部１３はＡＶデータ信号を出力し、出力されたＡＶデータ信号は、ディスクレコーダ１０のインターフェース１２を介してデジタルテレビ２０に送信される。その結果デジタルテレビ２０のモニタサブユニット部２５において、選択されたコンテンツが表示される。
【００４６】
次に記録媒体３に新たにコンテンツを記録した場合のコンテンツ記録再生システム１の処理を説明する。以下の説明でもディスクレコーダ１０は、記録媒体３の複数ディレクトリのうち、メインディレクトリのみに新規に録画または記録が必要なコンテンツの編集（削除等）が可能であり、オプションディレクトリに対してはコンテンツの再生のみしかできない仕様になっているとする。
【００４７】
図７は、記録媒体３に新規にコンテンツを録画した場合の、記録媒体３に構築されたディレクトリ構造を有するファイルシステム３０の概念図である。図から明らかなように、メインディレクトリ３１の最後に、コンテンツｍ４が追加される。コンテンツｍ４およびそのコンテンツ情報をハッチングで示す。
【００４８】
デジタルテレビ２０がコンテンツ情報取得コマンドを発行すると、ディスクレコーダ１０は、先の図４で説明したようにコンテンツ情報を並べ替えて、図８に示すコンテンツ情報リストを生成する。図８は、ｍ４コンテンツ情報が最後尾に追加されたリスト８０を示す。リスト８０では、ｍ４コンテンツ情報が最後尾に追加されているので、リスト８０を受け取ったデジタルテレビ２０側では、ディスクレコーダ１０で最後に録画されたコンテンツのコンテンツ情報が、リストの最後にみえる。このように、記録可能なディレクトリのコンテンツ情報を最後に配置し、かつ記録可能なディレクトリ内の最新の記録内容を最後尾に配置するようにした。これによりユーザーは最新であることを一見して認識できる。
【００４９】
このとき、オプションディレクトリ内のコンテンツのコンテンツ情報のロック情報は、仮想的に「ロックあり」として、デジタルテレビ２０側に回答する。なぜなら、ディスクレコーダ１０では、オプションディレクトリのコンテンツに対して削除操作をすることができないからである。これにより、デジタルテレビ２０はオプションディレクトリにあるコンテンツに対する削除指令は受け付けられないことを事前に知ることができる。
【００５０】
あるコンテンツの再生を指示された場合を考えると、そのコンテンツの再生が終了したときに停止する場合と、そのまま次のコンテンツの再生を継続する２種類の動作仕様が考えられる。ここではディスクレコーダ１０が、後者の、再生を継続する動作仕様になっている場合の動作を説明する。
【００５１】
継続してコンテンツを再生する連続再生では、ディスクレコーダ１０の操作部（図示せず）からコンテンツの再生を指示した場合と、デジタルテレビ２０からの指示を受けてコンテンツを再生する場合とで動作仕様を異ならせることが考えられる。前者の、ディスクレコーダ１０の操作部から指示する場合には、ディスクレコーダ１０は通常、連続再生を各ディレクトリ内で完結させ、ディレクトリをまたいで連続再生をさせることはない。ディスクレコーダ１０は記録媒体３上のディレクトリ構造を常時把握でき、特定のディレクトリ内のコンテンツのみを再生することができるからである。
【００５２】
一方、後者の、デジタルテレビ２０からの指示を受けてコンテンツを再生する場合には、ディレクトリをまたいでコンテンツを再生する必要がある。その理由は、デジタルテレビ２０はすべてのディレクトリ内のコンテンツをフラットに記述したコンテンツ情報リストを提供しているので、ディレクトリ構造を把握できない。そのためディスクレコーダ１０の動作仕様に準じてディレクトリで完結する連続再生をすると、ディレクトリごとに再生が終了し、デジタルテレビ２０側から遠隔操作しているユーザーに違和感を与える。よって、ディレクトリをまたぐ連続再生が必要となる。
【００５３】
以下、図９を参照しながら、ディスクレコーダ１０が所定のコンテンツの再生指示を受けた後、連続再生を行う動作を説明する。ここでは記録媒体３は、図７に示すディレクトリ構造を有するとする。図９は、ディスクレコーダ１０がデジタルテレビ２０から記録媒体３上のコンテンツの再生命令を受けた際の処理の流れを示すフローチャートである。まずステップＳ９１において、ディスクレコーダ１０のインターフェース１２は、デジタルテレビ２０からコンテンツ再生コマンドおよびコンテンツの再生指定位置を受信する。「コンテンツの再生指定位置」は、どのディレクトリのどのコンテンツであるかという指定、および、コンテンツ中の位置の指定を含む。コンテンツ中の位置は、時間等により指定できる。
【００５４】
次にステップＳ９２において、システムコントローラ１１は、再生指定位置に基づいてコンテンツの再生開始位置を設定する。そしてステップＳ９３において、システムコントローラ１１は、ディスクサブユニット部１３に指示して、設定した位置からコンテンツの再生を開始するよう指示する。ステップＳ９４において現在のコンテンツの再生が終了すると、ステップＳ９５において、システムコントローラ１１は、デジタルテレビ２０に回答したコンテンツ情報リストに次のコンテンツが存在するかを判断する。存在しない場合には再生処理を終了する。この場合はコンテンツ情報リスト中の最後のコンテンツを再生していたことを意味するので、デジタルテレビ２０のユーザーにとっては再生を終了しても違和感はない。
【００５５】
一方コンテンツ情報リストに次のコンテンツが存在する場合には、次のステップＳ９６において、システムコントローラ１１は次のコンテンツが異なるディレクトリに存在するか否かを判定する。次のコンテンツが異なるディレクトリに存在する場合には、ステップＳ９７においてディスクサブユニット部１３に指示してディレクトリを切り替え、ステップＳ９８において再生開始位置を次のコンテンツの先頭位置に設定する。一方存在しない場合には、ステップＳ９８に移動し、再生開始位置を同じディレクトリの次のコンテンツの先頭位置に設定する。そして再びステップＳ９３からの処理を反復する。反復は、ステップＳ９５の判定において、コンテンツ情報リストに次のコンテンツが存在しなくなるまで行われる。
【００５６】
以下、具体例により説明する。例えば、図２に示すオプションディレクトリ３２−２内のコンテンツｏ２２の先頭からの再生を指示されたとする。図５に示すコンテンツ情報リスト５０によれば、コンテンツｏ２２以降、コンテンツｏ２３、コンテンツｍ１、・・・、コンテンツｍ３と続く。コンテンツｏ２２の再生が終了すると、次にコンテンツｏ２３が存在するので、ステップＳ９５においてＹｅｓに分岐する。そして次のコンテンツｏ２３は同じオプションディレクトリ３２−２内に存在するから、ステップＳ９６においてＮｏに分岐する。そしてステップＳ９８において再生開始位置がコンテンツｏ２３の先頭位置に設定され、再びステップＳ９３から、コンテンツｏ２３の再生が開始される。コンテンツｏ２３の再生が終了すると、次にコンテンツｍ１が存在するので、ステップＳ９５においてＹｅｓに分岐する。そして次のコンテンツｍ１は異なるディレクトリに存在するので、ステップＳ９６においてＹｅｓに分岐する。そしてディスクサブユニット部１３は、ステップＳ９７においてコンテンツを読み出す対象となるディレクトリを、メインディレクトリ３１に切り替える。このディレクトリ切り換えは、デジタルテレビ２０側には行われていることを意識させることなく、ディスクレコーダ１０が自動的に行う。その後ステップＳ９８において、再生開始位置がコンテンツｍ１の先頭に設定され、再生が開始される。この後は、コンテンツｏ２２を例に説明したと同様の処理が図５に示すコンテンツ情報リスト５０の最後のコンテンツｍ３の再生が完了するまで行われ、コンテンツの再生処理が終了する。
【００５７】
以上、本発明のディスクレコーダ１０の実施形態を説明した。実施形態の説明では、記録可能なディレクトリに格納されたコンテンツのコンテンツ情報を、再生専用のディレクトリに格納されたコンテンツのコンテンツ情報のあとに配置してコンテンツ情報リストを生成するとした。
【００５８】
しかし、別の基準でコンテンツ情報を配置することもできる。例えば、コンテンツが映像である場合には、録画日時に基づいてコンテンツ情報を配置してもよい。図１０は、録画日時を基準として生成されたコンテンツ情報列に基づくコンテンツ情報リスト１００の構成を示す図である。図１０に示すように、コンテンツ情報リスト１００では、コンテンツ情報は、記録媒体３のディレクトリ構造にかかわらず録画日時の昇順に配列されている。
【００５９】
コンテンツ情報リスト１００を生成する具体的な処理は以下のとおりである。ディスクレコーダ１０がデジタルテレビ２０からコンテンツ情報取得コマンドを受けると、コンテンツ情報並べ替え部１４は、現在挿入されている記録媒体３上のコンテンツ情報をディスクサブユニット部１３から取得する。コンテンツ情報並べ替え部１４は、記録媒体３上のすべてのコンテンツのコンテンツ情報の録画日時を検索し、録画日時が古いコンテンツのコンテンツ情報を先頭に、最新のコンテンツに関するコンテンツ情報が最後にくるように並び替えてコンテンツ情報列を出力する。リスト生成部１５は、そのコンテンツ情報列に基づいて、コンテンツ情報リスト１００を作成する。コンテンツ情報リスト１００はこの場合も、ディレクトリ構造を含まない、フラットな構成である。なお録画日時を昇順に並べるとしたが、降順に並べてもよい。
【００６０】
以上の説明では、記録媒体３は例えば光ディスクであるとして説明した。しかし記録媒体３は（光）磁気ディスクであってもよいし、半導体メモリ等の半導体記録装置であってもよい。他の記録媒体を用いる録画再生機器により本発明の機能を実現しても、同様に実施できる。
【００６１】
以上説明したディスクレコーダ１０の処理は、例えば図４、図９のフローチャートに従った処理を規定するコンピュータプログラムに基づいて実現される。そのようなコンピュータプログラムは、フレキシブルディスク等の磁気記録媒体、フラッシュメモリ等の半導体記録媒体、および、光ディスク等の光記録媒体等の種々の記録媒体に記録可能であり、ネットワーク２等の電気通信回線を介して伝送可能である。さらにそのようなコンピュータプログラムを記憶した１以上の半導体記録媒体により、個々に流通するチップセットを構成することもできる。
【００６２】
【発明の効果】
本発明のディスクレコーダによれば、ディレクトリ構造を有する記録媒体の複数ディレクトリに分割されたコンテンツのコンテンツ情報をリストにして外部機器に回答するときに、最新に録画されたコンテンツがコンテンツ情報リストの最後にくるように並び替える。これにより外部機器側でリストをみたときに、ユーザーに最新の録画コンテンツを容易に把握させることができる。
【００６３】
また複数ディレクトリのうち、録画編集ができないディレクトリ内のコンテンツに対するコンテンツロック情報を、仮想的に「ロック状態である」と回答するので、外部機器に事前に削除できないことを通知することができる。
【００６４】
さらにコンテンツ情報リスト内のコンテンツの連続再生をおこなうときに、外部機器に意識させることなく、自動的にディレクトリの切り換えを行い再生を継続する。これによりデジタルテレビから再生を要求している場合に違和感を与えないという顕著な効果が得られる。
【図面の簡単な説明】
【図１】ディスクレコーダとデジタルテレビ（ＤＴＶ）とをネットワークにより接続したコンテンツ記録再生システムの構成を示す図である。
【図２】記録媒体に構築された、ディレクトリ構造を有するファイルシステム３０の概念図である。
【図３】コンテンツ情報に含まれるパラメータの種別を示す図である。
【図４】コンテンツ情報リストを生成する際のディスクレコーダの処理の流れを示すフローチャートである。
【図５】コンテンツ情報列に基づいて生成されたリストの構成を示す図である。
【図６】モニタサブユニット部における表示例を示す図である。
【図７】記録媒体に新規にコンテンツを録画した場合の、記録媒体に構築されたディレクトリ構造を有するファイルシステムの概念図である。
【図８】ｍ４コンテンツ情報が最後尾に追加されたリストを示す図である。
【図９】ディスクレコーダがデジタルテレビから記録媒体上のコンテンツの再生命令を受けた際の処理の流れを示すフローチャートである。
【図１０】録画日時を基準として生成されたコンテンツ情報列に基づくコンテンツ情報リストの構成を示す図である。
【図１１】ディスクレコーダとデジタルテレビ（ＤＴＶ）とをネットワークにより接続したコンテンツ記録再生システムの構成を示す図である。
【図１２】コンテンツ情報リストの構成を示す模式図である。
【図１３】生成されたコンテンツ情報リストを示す図である。
【符号の説明】
１  コンテンツ記録再生システム
２  ネットワーク
３  記録媒体
１０  ディスクレコーダ
１１  システムコントローラ
１２  インターフェース
１３  ディスクサブユニット部
１４  コンテンツ情報並べ替え部
１５  リスト生成部
１６  内部バス
２０  デジタルテレビ
２１  システムコントローラ
２２  操作部
２３  外部機器制御部
２４  インターフェース
２５  モニタサブユニット部
２６  内部バス
【図１】
2004312294.tif 000004
【図２】
2004312294.tif 000005
【図３】
2004312294.tif 000006
【図４】
2004312294.tif 000007
【図５】
2004312294.tif 000008
【図６】
2004312294.tif 000009
【図７】
2004312294.tif 000010
【図８】
2004312294.tif 000011
【図９】
2004312294.tif 000012
【図１０】
2004312294.tif 000013
【図１１】
2004312294.tif 000014
【図１２】
2004312294.tif 000015
【図１３】
2004312294.tif 000016